(57)【要約】【課題】ロール紙への印刷を行う記録装置において通常の切断動作に加えミシン目状カット動作が行えるように構成し、巻き取り装置が装着された場合にはミシン目カットを行うことでロールの最後まで巻き取り動作が正しく行える記録装置を提供する。【解決手段】カッター付きのロール紙への記録装置において、通常の切断を行うカッターとミシン目カットを行うカッターの２種類を持たせ、巻き取り機装着時には印刷ページ毎にミシン目カットを行うようにすることでロール紙を切断すること無く正しくロール１本全ての印刷が終了するまで巻き取り動作が行えるように構成した。また更に他にも一種類の回転刃からなるカッターによりその用紙への押圧力を切り替えることで用紙の切断とミシン目カッタを行える構造に関しても同様であり、更にロール全てへの印刷後にミシン目カットに沿って用紙を切断することで従来よりも切断動作が格段に改善される。【選択図】        図１
2004181825.tif 000002
【特許請求の範囲】
【請求項１】
ロール紙給紙手段と、前記ロール紙への連続印刷が可能な印刷手段と、前記ロール紙の排出経路途中に配置され、ロール紙への１ページ印刷が終了後にロール紙の両側間を用紙送り方向と直角に移動するカッターによりロール紙を切断する第１の用紙切断手段と、同じくロール紙の排出経路途中に配置され、ロール紙への１ページ印刷が終了後にロール紙の両側間を用紙送り方向と直角に移動する回転刃からなりロール紙をミシン目状に切断する第２の用紙切断手段と、前記二種類の用紙切断手段を選択するための切断手段選択手段とを有し、印刷後のロール紙切断パターンを切り替えて切断できるようにしたことを特徴とする記録装置。
【請求項２】
前記切断手段選択手段として、オペレーションパネル及び接続されたホストコンピュータからのコマンドに応じて前記第１及び第２の用紙切断手段を切り替えて選択できるように構成したことを特徴とする請求項１記載の記録装置。
【請求項３】
前記切断手段選択手段として、印刷されたロール紙を巻き取るための巻き取り装置の装着を検知し、装着されている場合に前記第２の用紙切断手段を選択しミシン目状カットを行うことでロール紙が完全に切断されることなく、ロール紙の巻き取り動作が行えるように構成したことを特徴とする請求項１記載の記録装置。
【請求項４】
ロール紙給紙手段と、前記ロール紙への連続印刷が可能な印刷手段と、前記ロール紙の排出経路途中に配置され、用紙走行方向と直交する方向に長矩形で板状の固定刃と、前記固定刃に沿って回転移動することによりロール紙を切断する少なくとも一箇所の切欠部を備えた回転刃と、前記回転刃を前記固定刃に押圧可能に保持する保持部材とを有し、前記保持部材を往復運動することによりロール紙の切断を行う記録装置において、前記回転刃を前記固定刃に押し付ける力を可変で制御する回転刃押圧制御手段と、前記回転刃押圧制御手段を切り替えるための押圧制御切り替え手段とを有し、前記押圧制御切り替え手段により回転刃の押圧力を変化させることにより、印刷後のロール紙切断パターンを数切り替えて切断できるようにしたことを特徴とする記録装置。
【請求項５】
前記押圧制御切り替え手段として、オペレーションパネル及び接続されたホストコンピュータからのコマンドに応じて前記回転刃押圧制御手段により前記回転刃押圧力を切り替えてロール紙の切断を行えるように構成したことを特徴とする請求項４記載の記録装置。
【請求項６】
前記押圧制御切り替え手段として、印刷されたロール紙を巻き取るための巻き取り装置の装着を検知し、装着されている場合に前記回転刃押圧制御手段を制御して押圧力を弱めることによりミシン目状カットを行うことでロール紙が完全に切断されることなく、ロール紙の巻き取り動作が行えるように構成したことを特徴とする請求項４記載の記録装置。
【発明の詳細な説明】
【０００１】
【発明の属する技術分野】
本発明は、ロール紙やロールフィルムなどを使用し、プリントアウト後に印刷物をカッターで自動的にカットすることが可能なカッター付き記録装置に関し、特に印刷のモードに応じて複数のカットモードを行えるカッター付き記録装置に関する。
【０００２】
【従来の技術】
記録紙や記録フィルムなどのロール状記録媒体を搬送させながら画像記録を行う記録装置として、一般的に図２に示すような構成のものが知られている。
【０００３】
以下にその構成の詳細について説明する。図２は、装置断面図であり、記録装置は大きく分けて、ロール状記録紙１０１を回転可能に保持しつつ給紙するためのロールホルダー１００、ロール紙を画像形成部まで搬送するためのロール紙搬送部１１０、そこから送り出された記録紙を保持しながらその上に画像形成を行う画像形成部１２０、画像形成後の記録紙を機外へ排出するための排紙部１３０、さらに排紙部１３０から排紙された印刷されたロール記録媒体を巻き取るための巻き取り部１４０とから構成される。巻き取り部１４０は必ずしも必須な機構ではなく、印刷されたページ毎にカット動作を行う構成でも良い。
【０００４】
この構成において、先ずロール紙を給紙して記録する手順を以下に示す。
ロール紙１０１はスプール１０２を介してホルダー１００内に回転自在に支持され、その先端部が給紙ローラー１０３に挟まれた状態（先端はＡ）でセットされている。
【０００５】
記録動作はまずロール紙の給紙動作から開始される。給紙ローラー１０３が回転してロール紙がホルダーから繰り出される。その後ロール紙搬送部１１０に達すると、搬送ローラー１１１の搬送力及び搬送ガイド対１１２、１１３の案内により画像形成部１２０まで搬送され、搬送ローラー１２１表面に巻かれつつさらに搬送される。紙先端が第１排紙ローラー１３１を過ぎ一定時間後、給紙動作を停止する。
次に画像形成動作が開始され、プラテン１２２上に保持された記録紙上に画像記録ヘッド１２３により画像が形成される。そして画像形成動作が終了すると記録紙上の記録部がカッター１３２の下流の位置に達するまで搬送された後、このカッター１３２によりロール紙をカットする。すると記録紙のうちの画像形成された部分が第２排紙ローラー１３３及び自重により機外に排出される。
巻き取り部１４０により印刷後にロール紙を巻き取る場合には、カットすることで巻き取り動作が行なへなくなるため、上記カッター動作は行わず、巻き取り部１４０のスプール１４２にセットされた芯菅にロール紙を巻き取る。巻き取り部１４０はロール紙のテンションからたるみが発生すると自動的にスプール１４２を回転させて紙を巻き取るように構成されている。またこの場合印刷のページ毎の区切りを分かるようにするために、ページの印刷の終了毎に本来カットを行う位置にカットラインの印刷を行うことができる機能をもつ記録装置も知られている。
【０００６】
次に画像形成動作の詳細に関してインクジェット記録方式を用いたい一例に関して以下に説明を行う。
【０００７】
インクジェット方式のカラープリンタの記録に係わる主要部は一例として図３のように構成されている。プラテン１２２上の記録紙１５０に記録を行う場合、まずモータ１５３を駆動し、駆動ベルト１５２により画像記録ヘッド１２３をホームポジションセンサ１５１の位置まで移動し、次に矢印Ａ方向に往路動作を行い、所定の位置よりブラックＢｋ、シアンＣ，マゼンタＭ，イエローＹのインクをそれぞれ画像記録ヘッド１２３から吐出することで画像記録を行う。所定の長さ分の画像記録を終えたらモータ１５３を停止し、逆に矢印Ｂ方向に復路走査を開始し、画像記録ヘッド１２３をホームポジションセンサ１５１の位置まで復帰させる。復路走査の間、画像記録ヘッド１２３で記録した長さ分の紙送りを図示しない紙送りモータにより、搬送ローラー１２１及び第１排紙ローラー１３１を駆動することで矢印Ｃ方向に行う。上記動作を繰り返す事でカラー画像の記録が完成されることになる。なお、１５４は紙の有り無しを判別する検知センサーを示している。
【０００８】
またこの種のインクジェット記録方式では、前記記録ヘッド１２３はインクが満たされているノズル内にヒータが数個装着されており、このヒータにパルス信号を印加することによりヒータを加熱して、インクを沸騰させ、これによって生じる気泡圧でインクを吐出させるもので、通常画像形成装置として使用する場合、上記ノズルを数個並べて１つのヘッドを構成し、画像の形成を行っている。
【０００９】
【発明が解決しようとする課題】
上記従来では、巻き取り部１４０にロール紙がセットされ巻き取り対応になっている場合には印刷のページ毎に通常のカット動作を行うと、ロール紙が切断されるためカット動作を行うことができず、代わりに印刷のページ毎の区切りを示すカットラインの印刷を行い、ロール紙全ての印刷が終了した時点でロール紙を巻き取り部１４０から外し、ユーザーが前記カットラインに沿ってカットを行う処理を行っていた。
【００１０】
この場合紙幅が短い場合には問題なくカットすることが可能であるがＢ０サイズ等の紙幅の大きい大判の記録装置で印刷したロール紙等に関しては必ずしも上手くカットすることができず、カットミスの発生頻度が多くなり、場合によっては印刷物自体が使えなくなり再印刷しなくてはならない場合もあった。また通常カットラインはカット位置に横線を引いたものであり、カット後に印刷メディア上端部に印刷ラインが残ってしまいこれが印刷物の品位を著しく低下させるという不具合もあった。
【００１１】
【課題を解決するための手段】
上記目的を達成するために本発明の記録装置は以下のような構成からなる。
【００１２】
即ち、ロール紙給紙手段と、前記ロール紙への連続印刷が可能な印刷手段と、前記ロール紙の排出経路途中に配置され、ロール紙への１ページ印刷が終了後にロール紙の両側間を用紙送り方向と直角に移動するカッターによりロール紙を切断する第１の用紙切断手段と、同じくロール紙の排出経路途中に配置され、ロール紙への１ページ印刷が終了後にロール紙の両側間を用紙送り方向と直角に移動する回転刃からなりロール紙をミシン目状に切断する第２の用紙切断手段と、前記二種類の用紙切断手段を選択するための切断手段選択手段とを有し、印刷後のロール紙切断パターンを切り替えて切断できるようにしたことを特徴とする記録装置を備える。
【００１３】
これにより従来用紙の切断のみを行っていたカット動作が切断とミシン目状カットを切り替えて行うことが可能となる。
【００１４】
さらに、前記切断手段選択手段として、オペレーションパネルや外部接続機器からのコマンドに応じて設定を変更できる手段と、ロール紙を連続で巻き取るための巻き取り装置の接続の有無から判定する手段とを備えることが望ましい。そして、前記巻き取り装置が接続されているときには用紙切断を行わず、ミシン目状のカット動作を行うように制御することが望ましい。
【００１５】
このような構成をとることで、ロール紙全てへの印刷を行うまで正常に巻き取り装置による巻き取り動作が行え、且ロール紙全てへの印刷後にミシン目に沿って印刷物を切断することで従来の切断動作の軽減も可能になる。
【００１６】
また他の発明によれば、ロール紙給紙手段と、前記ロール紙への連続印刷が可能な印刷手段と、前記ロール紙の排出経路途中に配置され、用紙走行方向と直交する方向に長矩形で板状の固定刃と、前記固定刃に沿って回転移動することによりロール紙を切断する少なくとも一箇所の切欠部を備えた回転刃と、前記回転刃を前記固定刃に押圧可能に保持する保持部材とを有し、前記保持部材を往復運動することによりロール紙の切断を行う記録装置において、前記回転刃を前記固定刃に押し付ける力を可変で制御する回転刃押圧制御手段と、前記回転刃押圧制御手段を切り替えるための押圧制御切り替え手段とを有し、前記押圧制御切り替え手段により回転刃の押圧力を変化させることにより、印刷後のロール紙切断パターンを数切り替えて切断できるようにしたことを特徴とする記録装置を備える。
【００１７】
さらに前記押圧制御切り替え手段として、オペレーションパネルや外部接続機器からのコマンド、ロール紙を連続で巻き取るための巻き取り装置の接続の有無から回転刃押圧制御手段を制御して押圧力変化させる押圧制御切り替え手段とを備えることが望ましい。そして、前記巻き取り装置が接続されているときには用紙切断を行わず、ミシン目状のカット動作を行うように回転刃の押圧を制御することが望ましい。
【００１８】
この構成においては１つの回転刃によりその押圧を制御することで複数の切断パターンを実現することが可能となる。
【００１９】
以上の構成により本発明は、巻き取り装置が装着され、ロール紙の巻き取り動作を行う場合にもロール紙全てへの印刷を行うまで正常に巻き取り装置による巻き取り動作が行え、且ロール紙全てへの印刷後にミシン目に沿って印刷物を切断することで従来の切断動作の軽減も可能になり、印刷効率を大幅に改善することができる。
【００２０】
【発明の実施の形態】
（第１の実施の形態）
以下に本発明の第１の実施例の記録装置に関して図１を用いて詳細に説明する。
【００２１】
図１は本発明の第１の実施例を示す記録装置の構成を示すブロック図である。
図１において１０が本記録装置全体の制御を行う制御部である。１５はＩ／Ｆ（インターフェース）部であり、このＩ／Ｆ部１５と図示しないホストコンピュータが接続され、ホストコンピュータからコマンド及び印刷を行う記録データが送られ、そのコマンドに応じて本記録装置が動作することで記録データの紙面上への記録を行うよう構成されている。一般的にＩ／Ｆ部１５としてセントロニクス及びＵＳＢインターフェースが多く用いられる。１１はＩ／Ｆ部１５から送られてくる記録データ（多値画像データ）に関してγ補正、色処理、拡大／縮小処理、２値化等を行う画像処理部であり、一例として  メモリ、ＡＳＩＣ及びＤＳＰ、ＲＩＳＣチップ等で構成される。画像処理部１１における処理の最終段でドットパターンに展開された印刷データはメモリ部１７に一旦蓄積される。このメモリ部１７は図示しない記録ヘッドが主走査方向に１回スキャンして記録を行うために必要な１バンド分以上のメモリから構成されおり、もし記録ヘッドの副走査方向のノズル数が１２８ノズルで、主走査方向に１回スキャンで記録できる最大ドット数が８ｋドットであれば
１２８（ノス゛ル）  ＊  ８ｋ（ト゛ット）  ＊  ４（色）  ＝  ４  ＭＢｉｔ
のメモリ容量を持つ事になる。またこのメモリ部１７への印刷データの書き込み／読み出しは画像処理部１１のＤＳＰ若しくはＲＩＳＣチップの制御の下にメモリコントローラ１６により行われ、メモリ部１７に対してアドレス信号及び書き込み／読み出しタイミング信号が生成される。またメモリ部１７からの印刷データの読み出しは、ヘッドコントローラ１８からの読み出し信号に同期してヘッドコントローラ１８に出力される。ヘッドコントローラ１８は、ヘッド部１９でのインク吐出のタイミング信号やヒートパルスを制御部１０の制御の基に生成する。１９はヘッド部であり各色インクに対応する記録ヘッドからなり、制御部１０及びヘッドコントローラ１８によりヒータ部を加熱してインクを吐出することで紙面上への画像記録を行う。
このヘッド部１９は実際にはメカ駆動部１３のキャリッジ上に取り付けられている。
メカ駆動部１３は従来例の説明で用いた図３とほぼ同様の構成からなり、図示しない記録ヘッドを主走査方向に移動させるためのキャリッジ部及びキャリッジ駆動部と、記録用紙の給紙部、紙搬送部、排紙部、記録ヘッドのインク詰りを回復するための回復ユニット部から構成されている。またカッター駆動部１４は１ページ分の印刷の終了時に紙を排紙しカットを行うユニットであり制御部１０の制御の基に駆動される。本発明においては通常の紙の切断を行うカッターと、紙面上にミシン目状の切れ目を入れるミシン目カッターの２つのカッターを備える。ミシン目カッターとしては図６に示すように回転刃の一部切欠部が設けられている回転刃６０１を用い、用紙搬送方向とは直角方向に回転刃の上端を用紙表面に接触されながら、回転刃を回転させながら移動させることで紙面上にミシン目状の切れ目を入れるものや（Ａ）、用紙搬送路と近接した位置に設置され用紙の幅方向の全長に平行にミシン目刃６０２が装着された平行状部材を有するものが知られており、本発明においてはどちらの構成を採用しても良いが、後で説明する本発明の処理の説明においては回転刃６０１を用いてミシン目カットを行う例に関して説明を行う。
【００２２】
このカッター駆動部１４は実際にはメカ駆動部１３に含まれる機構であるが、説明を簡単に行うために分けて記述している。
【００２３】
１２は給紙、排紙、用紙選択等からなるスイッチ類及び本記録装置の状態表示を行う表示系からなる操作パネルであり、制御部１０の制御によりスイッチ類のモニタ及び状態表示が行われる。
次に本発明の第１の実施例に関わる方式の詳細に関して以下に説明する。
【００２４】
上記図１に示す本発明の第１の実施例の構成において操作パネル１２から巻き取り装置が装着されていることが制御部１０に指示されるか、若しくは巻き取り装置が有効であることを検知するための図示しないセンサーにより制御部１０が巻き取り装置が有効であることを検知すると通常のカッターをミシン目でカットできる図６に示す回転刃６０１を用いてカット動作を行う。ロール紙へのページ印刷とミシン目カットの様子を図４に示す。
【００２５】
本発明の実施例である巻き取り装置装着時にカッター動作を変更する処理を示すために、以下に本発明の記録装置の印刷処理に関して図５のフローチャートを用いて説明する。
【００２６】
ステップ５０１  本発明の記録装置はＩ／Ｆ部１５からの印刷司令を受信することでページ印刷を開始する。
【００２７】
ステップ５０２  印刷に関わる詳細の動作は前に説明した通りであり、本発明の記録装置はＩ／Ｆ部１５から送られてくる印刷データを受け取り印刷動作を行う。
【００２８】
ステップ５０３  Ｉ／Ｆ部１５から印刷データが送られてくる間ステップ５０２の印刷動作を繰り返し、Ｉ／Ｆ部１５からの印刷データが終了し、１ページ分の印刷が終了した時点でステップ５０４に処理を移す。
【００２９】
ステップ５０４  制御部１０はページ印刷が終了すると現在本記録装置に巻き取り装置が装着されていてロール紙が自動で巻き取られているかどうかを判定し、もし巻き取り動作が有効で無いときにはステップ５０５に進む。また巻き取り動作が有効である場合にはステップ５０６に進む。
【００３０】
ステップ５０５  用紙カットを行うカッターとして通常の用紙切断用カッターを選択し、ステップ５０７に進む。
【００３１】
ステップ５０６  用紙カットを行うカッターとしてミシン目カットを行う回転刃６０１を選択し、ステップ５０７に進む。
【００３２】
ステップ５０７  印刷終了位置からロール紙を搬送し、ページの区切り位置にカッターくる位置まで搬送した時点で搬送を停止し、ステップ５０５、５０６により選択されたカッターによりロール紙のカット動作を行う。ステップ５０６でミシン目用の回転刃６０１が選択されている場合には実際には用紙は切断されず図４に示すように印刷ページ間にミシン目のカッター跡が形成される。
【００３３】
ステップ５０８  カット動作終了後ロール紙を印刷開始位置に戻しページ印刷動作を終了する。
【００３４】
以上のページ印刷動作をロール紙１本分繰り返した後に、書き取り装置から印刷後に巻き取られたロール紙を外しミシン目に沿ってロール紙を切断することでページ毎の印刷物を完成することができる。
【００３５】
なお本発明の実施例においては、巻き取り装置が装着されていてロール紙が自動で巻き取られているかどうかを判定して切断パターンを変更する例に関して説明したが、本発明はこの場合のみに限定されるものではなく、ロール紙の印刷中にロール紙が切断されることにより不具合が生じる全ての事象において本発明の切断パターンを変更させる処理は有効である。
【００３６】
（第２の実施の形態）
第１の実施例は、用紙のカットを行うカッターとして用紙切断を行う通常のカッターと用紙に対してミシン目のカットを行うミシン目カッターの２種類を持たせ、本発明の記録装置に巻き取り装置が装着されている場合にはミシン目カッターを用いてカットを行うことで用紙が切断されること無く巻き取り装置で用紙を巻き取ることができる構成を示したが、第２の実施例では、２種類のカッターを持たせるのではなく１つのカッターにより用紙の切断及びミシン目カットを行うように構成したものである。
【００３７】
具体的には特開平１−１４６６８８号公報に記載されている方式であり、図８，９は特開平１−１４６６８８号公報に記載されているミシン目状に切断する構成を有する装置の側面図及び回転刃の詳細図である。
【００３８】
回転刃２９の円周上には外側と内側の２段の切刃２０、２１を円周方向に交互に位置するように設けてあり、連続切断には外側と内側の両方の切刃を使い、ミシン線を入れるときには外側の切刃２０のみを使う。切断刃２９を支承している移動台の案内軸が圧縮ばねにより押し下げら位置決めストッパに当接することによって、回転刃２９は下方の定位置にセットされる。そして、左右の歯車からタイミングベルトを介して動力を受け左右方向に自転しながら移動することにより、回転刃２９の外側と内側の両方の切刃２０、２１が固定刃２８とかみ合ってロール紙２３を連続切断する。図示しないセット位置切り替え用ソレノイドにより案内軸を位置決めストッパに当接する位置まで押上げ、固定刃２８を上方の定位置にセットすると、固定刃２８は自転しながら左右方向への移動により、回転刃２９の外側の切刃２０だけが固定刃２８とかみ合い、ロール紙２３にミシン線を入れることができる。
【００３９】
以上のようにセット位置切り替え用ソレノイドをオン／オフすることでロール紙に対して連続切断及びミシン目切断を行うことができ、本発明の第２の実施例においては同様な構成において巻き取り装置が装着され、巻き取り操作が有効であるかどうかで前述のセット位置切替用ソレノイドを制御してカットモードを変更するように構成したものである。
【００４０】
本発明の第２の実施例を示す記録装置の構成は第１の実施例を示す図１のブロック図と同じであり、ただカッター駆動部１４が第１の実施例と異なり前述のように１つの回転刃２８に対してセット位置切り替え用ソレノイドでカッターの位置を上下させることで２種類のカット動作を行えるように構成されている。
【００４１】
本発明の第２に実施例の処理動作の詳細に関して図７のフローチャートを用いて説明する。
【００４２】
ステップ５０１  本発明の記録装置はＩ／Ｆ部１５からの印刷司令を受信することでページ印刷を開始する。
【００４３】
ステップ５０２  印刷に関わる詳細の動作は前に説明した通りであり、本発明の記録装置はＩ／Ｆ部１５から送られてくる印刷データを受け取り印刷動作を行う。
【００４４】
ステップ５０３  Ｉ／Ｆ部１５から印刷データが送られてくる間ステップ５０２の印刷動作を繰り返し、Ｉ／Ｆ部１５からの印刷データが終了し、１ページ分の印刷が終了した時点でステップ５０４に処理を移す。
【００４５】
ステップ５０４  制御部１０はページ印刷が終了すると現在本記録装置に巻き取り装置が装着されていてロール紙が自動で巻き取られているかどうかを判定し、もし巻き取り動作が有効で無いときにはステップ５０５に進む。また巻き取り動作が有効である場合にはステップ５０６に進む。
【００４６】
ステップ７０５  セット位置切り替え用ソレノイドを制御し回転刃の位置を下方の定位置にし、ステップ５０７に進む。
【００４７】
ステップ７０６  セット位置切り替え用ソレノイドを制御し回転刃の位置を上方の定位置に固定し、ステップ５０７に進む。
【００４８】
ステップ５０７  印刷終了位置からロール紙を搬送し、ページの区切り位置にカッターくる位置まで搬送した時点で搬送を停止し、回転刃を左右に自転させながら移動させること個によりロール紙のカット動作を行う。ステップ５０６で回転刃の位置を上方の定位置に固定している場合には実際には用紙は切断されず図４に示すように印刷ページ間にミシン目のカッター跡が形成される。
【００４９】
ステップ５０８  カット動作終了後ロール紙を印刷開始位置に戻しページ印刷動作を終了する。
【００５０】
以上のページ印刷動作をロール紙１本分繰り返した後に、書き取り装置から印刷後に巻き取られたロール紙を外しミシン目に沿ってロール紙を切断することでページ毎の印刷物を完成することができる。
【００５１】
以上の処理に関しては回転刃の位置に関して２段階の例に関して説明を行ったが、回転刃への押圧を複数通りに変化させてもより。この場合には紙種（材質、厚さ）に応じて複数の押圧を制御するようにするのが効果的である。
【００５２】
【発明の効果】
以上説明したように、本出願に係わる発明の装置においては、ロール紙の印刷時に巻き取り装置の巻き取り動作が有効になっているかどうかを検知し、巻き取り動作が有効な時にはページ印刷後のカット動作をミシン目カット動作により行うように構成したもので、これにより通常の印刷中に巻き取り装置が装着されて巻き取り動作が有効になっている場合にはロール紙のカットができないためロール全ての印刷が終了した段階で使用者がマニュアル動作でロール紙のカットを行っていた作業が従来よりも簡単に行うことができ印刷物の生産性を大幅に向上させることが可能となる。
【００５３】
また印刷のページの区切りを示すカットマークを印刷する必要がないため、従来カット後に端部に残り視覚的に見苦しさを与えていたカットマークの残印刷パターンを完全に排除することができ、最終印刷物の品位を高いめることができる。
【図面の簡単な説明】
【図１】本発明の実施例の構成を示すブロック図
【図２】従来のロール搬送装置の一例を示す装置断面図
【図３】従来例の印刷動作を説明するための一構成図
【図４】ロール紙へのミシン目カットを示す図
【図５】本発明の第１実施例を説明するためのフローチャート
【図６】本発明の第１実施例のミシン目カットを行うカッターの例を示す図
【図７】本発明の第２実施例を説明するためのフローチャート
【図８】従来例の切断及びミシン目カットを行う装置の構成図
【図９】従来例の切断及びミシン目カットを行う回転刃を示す図
【符号の説明】
１０  制御部
１１  画像処理部
１２  操作パネル
１３  メカ駆動部
１４  カッター駆動部
１５  Ｉ／Ｆ部
１６  メモリコントローラ
１７  メモリ部
１８  ヘッドコントローラ
１９  ヘッド部
２０  外側の切刃
２１  内側の切刃
２３  ロール記録紙
２４  記録紙ガイド
２５  感熱記録ヘッド
２６  ローラ
２７  カッタガイド
２８  固定刃
２９  回転刃
【図１】
2004181825.tif 000003
【図２】
2004181825.tif 000004
【図３】
2004181825.tif 000005
【図４】
2004181825.tif 000006
【図５】
2004181825.tif 000007
【図６】
2004181825.tif 000008
【図７】
2004181825.tif 000009
【図８】
2004181825.tif 000010
【図９】
2004181825.tif 000011